【手続補正書】
【提出日】平成25年5月14日(2013.5.14)
【手続補正１】
【補正対象書類名】明細書
【補正対象項目名】００６１
【補正方法】変更
【補正の内容】
【００６１】
ここで、電圧形成部５０６におけるＶｓｓｑ側分圧抵抗群３０７Ａにおける各分圧抵抗の値が「Ｒａ」で示されるとき、電圧形成部５０５におけるＶｓｓｑ側分圧抵抗群３０５Ａにおける各分圧抵抗の値は「ｎ×Ｒａ」とされ、電圧形成部５０４におけるＶｓｓｑ側分圧抵抗群３０３Ａにおける各分圧抵抗の値は「２ｎ×Ｒａ」とされ、電圧形成部５０３におけるＶｓｓｑ側分圧抵抗群３０１Ａにおける各分圧抵抗の値は「３ｎ×Ｒａ」とされる。「ｎ」は抵抗比とされ、この抵抗比ｎによって、チップ温度検出信号ｔｈｃｐｏｕｔ０〜１５の温度差が決定される。本例では、チップ温度検出信号ｔｈｃｐｏｕｔ０〜１５の温度差が５°Ｃとなるように、抵抗比ｎが決定される。
【手続補正２】
【補正対象書類名】明細書
【補正対象項目名】００７２
【補正方法】変更
【補正の内容】
【００７２】
すなわち、第１レジスタ４５１が初期値「０，１，０，０」の状態（Ｎｏ３）において、ｔｈｃｐｏｕｔ０〜１５の「０，０，０，０」はチップ温度Ｔｊ=−３５°Cを示し、ｔｈｃｐｏｕｔ０〜１５の「１，０，０，０」はチップ温度Ｔｊ=−３０°Cを示し、ｔｈｃｐｏｕｔ０〜１の「１，１，０，０」はチップ温度Ｔｊ=−２５°Cを示す。また、ｔｈｃｐｏｕｔ０〜１５の「１，１，１，０」はチップ温度Ｔｊ=−２０°Cを示し、ｔｈｃｐｏｕｔ０〜１５の「１，１，１，１」はチップ温度Ｔｊ=−１５°Cを示す。つまり、第１レジスタ４５１の保持情報が「０，１，０，０」の場合のチップ温度検出範囲は、−３５〜−１５°Cとされる。
【手続補正３】
【補正対象書類名】明細書
【補正対象項目名】００７５
【補正方法】変更
【補正の内容】
【００７５】
さらにリファレンス電圧制御信号ｔｈｃｐｔａｐｉｎ０〜３がインクリメントされて、第１レジスタ４５１の保持情報が「１，１，１，１」の状態（Ｎｏ１６）になると、ｔｈｃｐｏｕｔ０〜１５の「０，０，０，０」はチップ温度Ｔｊ=１６０°Cを示し、ｔｈｃｐｏｕｔ０〜１５の「１，０，０，０」はチップ温度Ｔｊ=１６５°Cを示し、ｔｈｃｐｏｕｔ０〜１５の「１，１，０，０」はチップ温度Ｔｊ=１７０°Cを示す。また、ｔｈｃｐｏｕｔ０〜１５の「１，１，１，０」はチップ温度Ｔｊ=１７５°Cを示し、ｔｈｃｐｏｕｔ０〜１５の「１，１，１，１」はチップ温度Ｔｊ=１８０°Cを示す。つまり、第１レジスタ４５１の保持情報が「１，１，１，１」の場合の温度検出範囲は、１６０〜１８０°Cとされる。
【手続補正４】
【補正対象書類名】明細書
【補正対象項目名】００７６
【補正方法】変更
【補正の内容】
【００７６】
第１レジスタ４５１が初期値「０，１，０，０」の状態（Ｎｏ３）において、ｔｈｃｐｏｕｔ０〜１５が「０，０，０，０」となった場合には、スイッチ制御回路４５５によってリファレンス電圧制御信号ｔｈｃｐｔａｐｉｎ０〜３がディクリメントされて、第１レジスタ４５１の保持情報が「１，０，０，０」に変更される。第１レジスタ４５１の保持情報が「１，０，０，０」の状態（Ｎｏ２）において、ｔｈｃｐｏｕｔ０〜１５の「０，０，０，０」はチップ温度Ｔｊ=−５０°Cを示し、ｔｈｃｐｏｕｔ０〜１５の「１，０，０，０」はチップ温度Ｔｊ=−４５°Cを示し、ｔｈｃｐｏｕｔ０〜１５の「１，１，０，０」はチップ温度Ｔｊ=−４０°Cを示す。また、ｔｈｃｐｏｕｔ０〜１５の「１，１，１，０」はチップ温度Ｔｊ=−３５°Cを示し、ｔｈｃｐｏｕｔ０〜１５の「１，１，１，１」はチップ温度Ｔｊ=−３０°Cを示す。つまり、第１レジスタ４５１が初期値「０，１，０，０」から「１，０，０，０」に変更されることにより、チップ温度検出範囲が、それまでの「−３５〜−１５°C」から「−５０〜−３０°C」にシフトされる。
【手続補正５】
【補正対象書類名】明細書
【補正対象項目名】００９０
【補正方法】変更
【補正の内容】
【００９０】
ＬＳＩ２００の電源投入（６０１）後のパワーオンリセット前において、温度センサ４のアナログ部４２では、リファレンス電圧調整用信号ｔｈｒｆｔａｐｉｎ０〜３とリファレンス電圧制御信号ｔｈｃｐｔａｐｉｎ０〜３の初期値が確定されるものとする（６０２）。また、アナログ部４２において、アナログ出力バッファ４７から外部端子１９を介して温度検出結果アナログ信号Ｖｔｈｓｅｎｓｅが出力され、リファレンス出力バッファ４９から外部端子２１を介してリファレンス電圧Ｖｔｈｒｅｆが出力される。温度検出結果アナログ信号Ｖｔｈｓｅｎｓｅやリファレンス電圧Ｖｔｈｒｅｆは、ＬＳＩ２００が熱暴走した場合においても出力され（６０３）、このＬＳＩ２００が搭載されるユーザシステムでの制御に利用される。
【手続補正６】
【補正対象書類名】明細書
【補正対象項目名】００９３
【補正方法】変更
【補正の内容】
【００９３】
ユーザ（顧客）が温度センサ４の動作を望む場合には、リファレンス電圧調整用信号ｔｈｒｆｔａｐｉｎ０〜３の設定が行われる（６０８）。尚、リファレンス電圧調整用信号ｔｈｒｆｔａｐｉｎ０〜３の設定が行われない場合は、デフォルト値「０，０，０，０」が採用される。
【手続補正７】
【補正対象書類名】明細書
【補正対象項目名】００９８
【補正方法】変更
【補正の内容】
【００９８】
例えばリファレンス電圧制御信号ｔｈｃｐｔａｐｉｎが「１，１，１，１」の状態において、電圧比較器５３〜５６での電圧比較動作により、チップ温度検出信号ｔｈｃｐｏｕｔ０〜１５の値は、チップ温度Ｔｊが５°Ｃ降下される毎に更新される（１０１）。そして、チップ温度検出信号ｔｈｃｐｏｕｔ０〜１５が「０，０，０，０」になった場合、スイッチ制御回路４５５によりリファレンス電圧制御信号ｔｈｃｐｔａｐｉｎがディクリメントされて、「０，１，１，１」に変更される。このとき、リファレンス電圧制御信号ｔｈｃｐｔａｐｉｎ０〜３の安定化のため、第２レジスタ４５２の出力が１００〜３００μｓｅｃだけマスクされる（１０２）。マスク期間中は、マスク開始前の第２レジスタ４５２の出力状態「０，０，０，０」が保持される。マスク開始から１００〜３００μｓｅｃ経過後にマスクが解除される。すると、チップ温度検出範囲が−１５°Ｃシフトされた状態（ｔｈｃｐｔａｐｉｎが「０，１，１，１」の状態）で、再び電圧比較器５３〜５６での電圧比較動作により、チップ温度検出信号ｔｈｃｐｏｕｔ０〜１５の値は、チップ温度Ｔｊが５°Ｃ降下される毎に更新される（１０３）。そして、チップ温度検出信号ｔｈｃｐｏｕｔ０〜１５が「０，０，０，０」になった場合、スイッチ制御回路４５５によりリファレンス電圧制御信号ｔｈｃｐｔａｐｉｎがディクリメントされて、「１，１，０，０」に変更される。このとき、リファレンス電圧制御信号ｔｈｃｐｔａｐｉｎ０〜３の安定化のため、第２レジスタ４５２の出力が１００〜３００μｓｅｃだけマスクされる。マスクが解除されると、チップ温度検出範囲が−１５°Ｃシフトされた状態で、再び電圧比較器５３〜５６での電圧比較動作により、チップ温度検出信号ｔｈｃｐｏｕｔ０〜１５の値は、チップ温度Ｔｊが５°Ｃ降下される毎に更新される。温度降下の場合、ｔｈｃｐｏｕｔ１５は常にローレベル（論理値‘０’）とされる。
【手続補正８】
【補正対象書類名】明細書
【補正対象項目名】０１０２
【補正方法】変更
【補正の内容】
【０１０２】
チップ温度が例えば１２５°Ｃを越えるような過温度状態が温度センサ４によって検出された場合に、割込みコントローラ１１に対して所定の割込み要求がなされる（６１１）。この割込み要求に対応する割込み処理がＣＰＵ２で実行されると、ＬＳＩ２００の外部に配置された電源回路に対して、ＣＰＵ２（マルチコアの場合、１部あるいは全部のコア）への電源電圧の供給が停止される。ＣＰＵ２への電源電圧の供給が停止されると、ＣＰＵ２（マルチコアの場合、１部あるいは全部のコア）の動作が停止されるので、チップ温度が次第に低下される。温度センサ４による温度検出結果が過温度状態でない状態では、ＬＳＩ２００の外部に配置された電源回路からＣＰＵ２に電源電圧が供給される。また、リファレンス電圧制御信号ｔｈｃｐｔａｐｉｎ０〜３と、チップ温度検出信号ｔｈｃｐｏｕｔ０〜１５のビット情報をＣＰＵ２へ伝達して、ＣＰＵ２でのプログラム実行によって適宜処理することもできる（６１１）。
【手続補正９】
【補正対象書類名】図面
【補正対象項目名】図１
【補正方法】変更
【補正の内容】
【図１】
2013064677.tif 000001